(57)【要約】      （修正有）【課題】優れた吸水速乾性と長期に亘る抗菌、防汚はじめ多くの機能を有し、洗濯の手間をなくした省エネルギー的で、必須である耐久性を確保した新形状、新感触のバスマットを提供する。【解決手段】石膏と、抗菌剤としてホタテ貝殻焼成粉末、植物抽出成分、二酸化チタン微粒子の内から選択される１種または２種以上と、合成繊維糸との混錬物を型に流し込み、内部に樹脂製ネット３を内蔵させ、自然乾燥にて立体形状の成型体１を作製する。成型体１の周縁部１４に緩衝材２を配設し、全露出面を繊維生地類６で覆い、一部に持ち手５を留め具９で固定し、露出面下部にシート類４を配設する。【選択図】図３
0003201820.tif 000002
【実用新案登録請求の範囲】
【請求項１】
石膏を主材に、抗菌剤としてホタテ貝殻焼成粉末、植物抽出成分、二酸化チタン微粒子の内から選択される１種または２種以上と、合成繊維糸との混錬物により立体形成される成型体の内部に樹脂製ネットが内蔵され、該成型体の周縁部に緩衝材を配設し、一部に持ち手を設け、露出面下部にシート類が配設されたことを特徴とするバスマット。
【請求項２】
石膏を主材に、抗菌剤としてホタテ貝殻焼成粉末、植物抽出成分、二酸化チタン微粒子の内から選択される１種または２種以上と、合成繊維糸との混錬物により立体形成される成型体の内部に樹脂製ネットが内蔵され、該成型体の周縁部に緩衝材を配設し、次いで、全露出面を繊維生地類で覆い、一部に持ち手を設け、露出面下部にシート類が配設されたことを特徴とするバスマット。
【請求項３】
請求項２に記載されたバスマットにおいて、前記成型体の露出面上部と繊維生地類との間にクッション材が配設され形成されたことを特徴とするバスマット。
【請求項４】
請求項１に記載されたバスマットにおいて、前記混錬物が染料、顔料または外因により変化する染料、顔料類の内から選択される１種または２種以上の組み合わせで着色され形成されたことを特徴とするバスマット。
【請求項５】
請求項１〜請求項４のいずれかに記載されたバスマットにおいて、該バスマットの露出面上部表面または繊維生地類上部表面に前記染料、顔料または外因により変化する染料、顔料類の内から選択される１種または２種以上の組み合わせで柄が施されたことを特徴とするバスマット。
【請求項６】
請求項１または請求項４のいずれかに記載されたバスマットにおいて、前記成型体の露出面上部表面に合成樹脂、シリコン、合成ゴム、繊維、木、樹皮、紙、ガラス、石、陶器、金属製等からなる成型品類の内から選択される１種または２種以上が内蔵され形成されたことを特徴とするバスマット。
【請求項７】
請求項１〜請求項７のいずれかに記載されたバスマットにおいて、前記持ち手は未設のバスマット一対が接続され一つとする構成で、一対の間の接続部に持ち手が設けられ形成されたことを特徴とするバスマット。
【考案の詳細な説明】
【考案の詳細な説明】
【技術分野】
【０００１】本考案は、吸水速乾性に優れ、長期に亘る抗菌、消臭、防汚の機能を有し、洗濯の手間をなくした省エネルギー的で、必須である耐久性を確保し、立体形状の成型体を扱い易くさせ、多彩な装飾性を備えた新感触のバスマットに関する。
【背景技術】
【０００２】従来のバスマットは、繊維素材が多く用いられ生活必需品となっている。
また、近年、新しい技術として天然素材を用いた、例えば、特許文献１、２には珪藻土等を用いたバスマットも開示されている。
【先行技術文献】
【０００３】
【特許文献１】登録実用新案第３１５５８９６号公報
【特許文献２】特開２０１０−１８４１０８号公報
【考案の概要】
【考案が解決しようとする課題】
【０００４】湯上り足ふき用バスマットは、吸水、速乾、装飾、抗菌、消臭、防汚、耐久など多くの機能が求められます。繊維素材のバスマットは継続して使用するとさらっとした感触がなくなり、ずれ動く、捲れるなど形状が不安定で不快感が生じ、日常的に洗濯を繰り返す手間と耐久性にも課題があり不経済であった。一方、多孔質の珪藻土を用いたバスマットは、吸水性は優れているが、天日干しで乾燥しすぎると反りが生じ頻繁に干せないため清潔性に欠け、汚れや傷がつき易く、粉浮き、冷たい、床を傷つける可能性、扱い難く落とす危険性もあり、特に乾燥、保管する場合は、形状的に立てかけることが多く、倒れて破損する新たな課題が生じている。【０００５】珪藻土は自硬性に乏しく成型する場合、水と混錬して型に流し込み乾燥固形化するだけでは強度に弱く、鏝による重ね塗りの熟練した技術も必要でありコスト高でもあった。また、珪藻土本来の用途の壁面使用と違い、バスマットのように床面で使用する場合は、大きな加重でひび割れ、欠ける危うさが生じる。
【課題を解決するための手段】
【０００６】本考案は、前記のようなバスマットに求められている機能や、多くの課題の解決とその目的を達成するための高い技術や機械装置を必要とせず、石膏に対して、水と抗菌剤他を加えた混錬物を自在な型に流し込み自然乾燥で成型ができる安易加工性で低コスト化を図り、ひび割れ防止を飛躍的に高めたバスマットを提供する。
【考案の効果】
【０００７】石膏は、高温加圧成型する必要がなく、吸水浸透、乾燥も速く濡れ感が生じない。本考案の抗菌剤は、石膏や水との混錬性が良く機能面でも天日陰干し何れであっても常時、中和、包摂、分解作用が発揮できる成分を選定し、さらに、水洗いができる構成に仕上げ、清潔性と耐久性を備えたバスマットを得ることができる。
【考案を実施するための最良の形態】
【０００８】本考案に用いる石膏は、無水石膏、半水石膏及び二水石膏等１種または２種以上の混合物として用いればよい。【０００９】本考案の抗菌剤は、抗菌消臭機能があり、特に白癬菌に対する効力が優れているホタテ貝殻焼成粉末と、植物抽出成分としては抗菌消臭芳香機能のある緑茶、い草、センダン、竹、ユーカリ、アスナロ等が挙げられ、該植物類の葉、茎、根、樹皮等を乾燥し、または減圧下高温加熱にて発生する気化成分を冷却して得られるエキスをエタノール、プロパノール等のアルコール類または蒸留水にて溶解し溶液とする。【００１０】植物の芳香成分には、特に緑茶の新芽や青葉から抽出される香り成分は、癒し、ストレス緩和などの機能も公知されており、その芳香成分は化学合成等により得られたものでもよく、その機能を付加することも可能となる。【００１１】本考案のバスマットも時々、天日干しをすることが必要で、抗菌剤として用いる光触媒機能を有する二酸化チタン微粒子は、太陽光の下で還元作用を持つ電子と酸化作用を持つ正孔とが生成され、接触してくる分子類を酸化還元作用により分解し、光が当たると繰り返し長期間作用し続ける触媒としての安定性は突出しており、幾多の抗菌剤類の内でも多岐にわたる本考案の課題の解決には不可欠である。【００１２】本考案の混錬物は、Ａ剤とＢ剤から構成され、Ａ剤は石膏１００質量部であり、Ｂ剤は水１００質量部に対してホタテ貝殻焼成粉末は０．１〜２０質量部、植物抽出成分は、緑茶、竹、い草が０．００１〜１０質量部、センダン、ユーカリ、アスナロが０．０１〜２０質量部、二酸化チタン微粒子は０．００１〜１０質量部であり、該抗菌剤の内から選択される１種または２種以上を配合し用いればよく、Ａ剤とＢ剤を容量比４０：６０〜６０：４０で混錬して用いる。【００１３】また、前記二酸化チタン微粒子と、無機質または無機質に変換したバインダーとの組成物液（以後、組成物液という）を用いることも分散性がよく好ましい。本考案の二酸化チタン微粒子の平均粒径は３〜２００ｎｍを用いればよい。【００１４】前記組成物液は、二酸化チタン微粒子３〜２０質量部と無機質バインダーとしては何ら限定されないがシリカゾル０．３〜５質量部、媒体としては水１０〜６０質量部とメタノール２０〜５０質量部、エタノール３〜１０質量部を配合し用いればよい。この場合の混錬物としては、Ａ剤とＣ剤から構成され、Ａ剤は石膏１００質量部であり、Ｃ剤は水９０〜２５質量部に対して該組成物液は１０〜７５質量部、ホタテ貝殻焼成粉末、植物抽出成分は、前「００１２」項の質量部を配合して用いればよく、Ａ剤とＣ剤を容量比４０：６０〜６０：４０で混錬して用いる。【００１５】更に、前「００１２」「００１４」項の混錬物で形成された成型体の全露出面に前記組成物液をスプレーまたは含浸塗装することも機能上好ましい。【００１６】本考案の合成繊維糸は、ひび割れ防止を目的とし、吸湿性の低いポリエステルのマルチフィラメントを５〜１０ｍｍに裁断し、前記各混錬物に０．０１〜５質量部を配合混錬して用いる。【００１７】樹脂製ネットとしては、何ら限定されず、ポリエチレン製の太さ又は厚さ０．５〜１．５ｍｍで網目２〜１０ｍｍ角の成型品を用い、各成型体の奥行×幅に対し９５〜８５％のサイズで裁断し、前記各混錬物を型に流し込みスラリー状態時に該樹脂製ネットを中心部へ含浸させる。該樹脂製ネットを内蔵させることで、ひび割れ防止と、万が一割れた場合でも成型体の分離を防ぐ。【００１８】成型用の型はアルミニウム、ステンレス、合成樹脂製他の自在な型を用いればよく、本考案のバスマットの幅×奥行サイズも、何ら限定されず、高さは、露出面下部への水の浸透と強度を考慮し１５〜３０ｍｍが好ましい。【００１９】緩衝材の組成素材は、何ら限定されず、発泡、スポンジ、ラバー、クッション、フォーム、シート、テープ、編み物、織物、面ファスナー、紐、不織布、樹脂板、木板、樹皮等の内から選択される１種または２種以上を用い、厚さ０．１〜１０ｍｍより好ましくは１〜５ｍｍの帯状で周縁部周りに配設する。緩衝材は、周縁部に配設後に繊維生地類を覆う、または、繊維生地類で覆った後に配設する内外装のいずれであっても、または内外装共に用いてもよく、緩衝材を配設させることで躓き時、落下時の衝撃緩和、ひび割れ、欠けの補強、割れ時の分離防止と装飾性が付加できる。【００２０】繊維生地類の組成素材は、何ら限定されず、天然、化学、合成繊維ほか長、短繊維でも太、細番手であっても撥水性、吸水性であっても無地、柄加工が施されていてもよい。露出面を繊維生地類で覆う構成は、（イ）乾燥後の成型体を繊維生地類で覆い、縁仕上げを施し周縁部および露出面下部の一部に接着剤で固定させる。（ロ）型に事前に繊維生地類を敷き詰め、次いで、前記各混錬物を流し込み乾燥後に成型体を型から取り出し繊維生地類の縁仕上げを施し、露出面下部の一部に接着剤で固定させる。次いで（イ、ロ）共に露出面下部全面に繊維生地類を接着剤で固定させる。繊維生地類で覆うことで粉浮き、冷たさ、傷がつくこと、ひび割れ防止が付加できる。（ロ）においては、太番手厚手生地を用いた場合でも吸水浸透性に優れ、また、ひび割れに対する更なる強度が備わる。繊維生地類を用いることで多彩な装飾性が可能となり、また、事前に繊維生地類の表裏面に前記組成物液をスプレーまたは含浸塗装し、乾燥後用いると抗菌、消臭、防汚、親水性等の機能が付加できる。【００２１】クッション材の組成素材は、何ら限定されず、合成スポンジ、立体構造編物等の厚さ２〜１０ｍｍを用い、該合成スポンジは、直径２〜１０ｍｍの多孔をドット様に設けることも好ましく、前記成型体上部表面に配設し、踏み心地を和らげ、キズ、ひび割れの補足をする。【００２２】本考案の緩衝材はじめ、繊維生地類、シート類を周縁部や露出面下部に固定させるには、アクリル樹脂、ウレタン樹脂、フェノール樹脂、エポキシ樹脂、酢酸ビニル他いかなる接着剤であってもよいが、耐水性に優れた接着剤がより好ましい。【００２３】持ち手の組成素材は、何ら限定されず、合成樹脂、シリコン、合成ゴム、皮革、合成皮革、繊維、樹皮、木、竹、金属製品等より選択される１種または２種を用い、取り付けには、接着剤および各種留め具、鋲、ピン、ビス他より選択される１種または２種を用いて固定すればよい。立体形状に持ち手を設けることでバスマットの上げ下げ、持ち運び時の落とす危険性が大幅に軽減される。【００２４】本考案��顔料は無機、有機、染料は天然、合成のいずれであってもよく、外因により変化する顔料染料類としては、市販もしくは公知のフォトクロミック染料、低屈折率顔料、水変色性顔料、含水変色顔料、感温変色顔料、光可逆変色性顔料、可逆変色性マイクロカプセル顔料、応力発光顔料、蓄光顔料、再帰反射性顔料、示温インク等が挙げられる。前記混錬物に該顔料染料類の内から選択される１種または２種以上を配合し着色する。或は、前記バスマットの露出面上部表面、繊維生地類上部表面に転写、ステンシル、注染、刷毛塗り、スプレー塗装、電着塗装、ローラー塗り、含浸塗装、流し塗り等で１層または２層以上で柄を施せばよい。【００２５】本考案の成型品類は、組成素材は何ら限定されず、市販もしくは公知の成型品類を用いればよく、その全厚または直径は０．５〜２０ｍｍが好ましく、型に前記各混錬物を流し込み、スラリー状態時に該成型品類の内から選択される１種または２種以上をその全厚または直径の１／２〜２／２の範囲で埋め込み形成させる。或は、型に事前に該成型品類を置き、次いで前記各混錬物を流し込み形成させてもよい、従来とは違った踏み心地、質感、吸水感覚のバスマットができる。【００２６】本考案のバスマットも過度の加重が掛かるとひび割れが生じる場合があり、特に床面に少し段差がある場所で加重がかかると露出面下部から亀裂が生じることを見出し、露出面下部にシート類を配設し防止する。シート類の組成素材は、何ら限定されず、例えば、合成樹脂、シリコン、合成ゴム、合成皮革、織物、編物、帆布、不織布、樹皮、樹脂板、木板製等を用い、その厚さは０．５〜５ｍｍで滑り難い構造が好ましく、シート類を設け接着剤で固定することで、ひび割れ、床に傷をつける、床への透水防止ができる。【００２７】従来品は、ひび割れが生じると成型体が分離するため廃棄されていた。本考案は、成型体の内部に合成繊維糸、樹脂製ネット、周縁部に緩衝材、全露出面に繊維生地類、露出面下部にシート類を設ける構造により、ひび割れに対する耐久性の向上と、万が一、割れた場合でも分離しないために直ぐに廃棄することもなく、請求項目品によっては、ひび割れは目につくものの、隙間が拡がることもなく、機能も変わらず継続使用も可能となる。【００２８】本考案の一対で一つの構成とするバスマットは、更なるひび割れの危険性をなくすために加重を分散させ、其々一つに片足を乗せる小サイズとし、該バスマット一対の間を３〜１０ｍｍ開け、前記繊維生地類、シート類または、他の接続部材に固定し、接続部の中央部位に前記持ち手を設ける。床面で使用後に該持ち手を引き上げると露出面下部側が合わさり１／２サイズとなり、片手で持ち運びができ、小サイズ化により廃棄時には、一対を分断すれば各自治体で多少異なるが簡素化もできる。
【実施例】
【００２９】実施例１、Ａ剤の石膏１００質量部に対して、Ｂ剤の水１００質量部にホタテ貝殻焼成粉末３質量部と二酸化チタン微粒子２質量部と合成繊維糸としてポリエステルのマルチフィラメントを５〜１０ｍｍに裁断し０．３質量部を配合する。Ａ剤とＢ剤の容量比５０：５０の混錬物をポリプロピレン製型幅２９０ｍｍ×奥行２２０ｍｍ×高さ２６ｍｍに流し込み形成させサンプルＡ品とする。その吸水実験として、該Ａ品の上部表面の中心部位に塩化ビニル製パイプ直径４０ｍｍ×高さ４０ｍｍ×厚さ２ｍｍを置き、計量カップに水を入れ、１回約３０ｃｃを該パイプ内に垂らす、約１５〜３０秒後に再度繰り返し、該Ａ品の表裏面に変化が見られるまで行う。その結果、１３回、約３９０ｃｃで表面の吸水速度が落ち始め、裏面にシミが見られだした。【００３０】実施例２、前「００２９」項と同混錬物をポリプロピレン製型幅４００ｍｍ×奥行３００ｍｍ×高さ２６ｍｍに流し込み、内部にポリエチレン製ネット網目３ｍｍ角×厚さ１ｍｍ品幅３７０ｍｍ×奥行２７０ｍｍを沈み込ませ形成する。乾燥後、周縁部にポリエチレン製フォーム幅２５ｍｍ×長さ１４００ｍｍ×厚さ２ｍｍを配設し接着剤で固定する。次いで、全露出面をポリエステル製生地で覆い、露出面下部にポリエチレン製シート幅４００ｍｍ×奥行３００ｍｍ×厚さ１．５ｍｍを配設し、周縁部、露出面下部にエポキシ樹脂接着剤で該生地、シートを其々固定し、サンプルＢ品とする。その耐久実験として、該Ｂ品をフローリング床に置き、該Ｂ品上を体重７１ｋｇの人が８０００回足ふみをする。その後、フローリング床に綿素材パイル長１０ｍｍのバスマットを敷き、その上に該Ｂ品を置き、同人が５０００回足ふみをする。結果、形状には変化は見られなかった。【００３１】前「００３０」項の参考実験として、Ａ剤の珪藻土１００質量部。珪藻土７０質量部に対して石膏、セメント、漆喰を各３０質量部。Ｂ剤は水のみで、容量比５０：５０の混錬物を前項と同サイズで４品を作製する。該４品には前記ネット、緩衝材、繊維生地類、シート類は未設である。その耐久実験として、該４品をフローリング床に置き前記同人が足ふみをする。その結果は、珪藻土１００質量部品は３８１回で破損。セメント３０質量部混合品は５４７回で破損，他の２点は、１５０回に至らず破損した。【００３２】次に、耐久実験後の前記Ｂ品を屋外の雨に濡れない、日の当たる場所に立てかけ、延べ１０日間静置したが風合い形状は、ポリエステル生地の少し退色が見られた以外、特に変化はなく、その後、吸水浸透、乾燥性能の確認のため、該Ｂ品を室内の床面に静置し、上部表面の同じ部位付近に水を入れたスプレー容器で、１回約１５ｃｃを吹き付けることを間隔２０秒〜４５秒の不定期ではあるが延べ１００回繰り返し行う。結果、風合い形状には変化はなく、吸水力も落ちることはなかった。その後、該Ｂ品を乾燥させ、斜めに立てかけ上部表面をシャワーで水流し、天日干し乾燥させることを延べ１０回繰り返す。結果、風合い形状には変化は見られなかった。【００３３】実施例３、ポリプロピレン製型奥行１５０ｍｍ×幅１５０ｍｍ×高さ２０ｍｍに前「００２９」項と同混錬物で形成乾燥後の成型体上部表面に前記組成物液をスプレー塗布し��燥させサンプルＣ品とする。該Ｃ品の上部表面に醤油を入れたスプレー容器で均一に醤油を塗布する。乾燥後、該Ｃ品上部表面の半分をアルミニウム製ホイルで覆い。屋外の日のあたる場所、時間帯に延べ８０時間静置する。その後、アルミニウム製ホイルの覆いを外すと、醤油の含浸か色が少し薄くなった程度で大きな色変化はなく、一方、覆っていない日の当たった側は、元の白色に戻っていた。二酸化チタン微粒子に有機物分解能力のあることが確認できた。その後、水を入れた容器に該Ｃ品を水没状態にして４日間放置、その後、乾燥させ風合いを見るが変化は見られなかった。
【図面の簡単な説明】
【図１】請求項１に記載のバスマットの斜視図
【図２】請求項１に記載のバスマットの一部断面図
【図３】請求項２に記載のバスマットの一部断面図
【図４】請求項２に記載のバスマットの型に繊維生地類敷き詰め作成時の一部断面
【図５】請求項３に記載のバスマットの一部断面図
【図６】請求項６に記載のバスマットの一部破断図
【図７】露出面下部の一部斜視図
【図８】請求項７に記載のバスマットの一部斜視図
【符号の説明】１成型体      ２緩衝材      ３樹脂製ネット      ４シート類      ５持ち手
６繊維生地類      ７クッション材      ８成型品類      ９留め具      １０型
１１接続部      １２露出面上部      １３露出面下部      １４周縁部
【図１】
0003201820.tif 000003
【図２】
0003201820.tif 000004
【図３】
0003201820.tif 000005
【図４】
0003201820.tif 000006
【図５】
0003201820.tif 000007
【図６】
0003201820.tif 000008
【図７】
0003201820.tif 000009
【図８】
0003201820.tif 000010